(57)【要約】【課題】貯蔵容器の奥に収納された食品を容易に取り出し可能であって、且つ保守点検等のサービス作業が容易な冷蔵庫を得ることを目的とする。【解決手段】冷凍室と冷却器室とを区画する着脱可能な区画部材の前方に位置し冷凍室を左右に仕切る左右仕切部材と、この左右仕切部材に設けられた仕切レール部とこの仕切レール部と対向する位置に設けられた内箱レール部とに引き出し自在に支持された扉枠と、この扉枠に係合した扉とを備え、左右仕切部材の奥行き寸法は扉枠の奥行き寸法よりも小さく、且つ左右仕切部材の後端と区画部材との間にこの区画部材を着脱する空間を有し、扉枠の内箱レール部及び仕切レール部に対する位置に夫々設けられた第一のスライドピース及び第二のスライドピースを備え、扉が閉状態の場合、第二のスライドピースの一端部は仕切レール部上に位置し、第二のスライドピースの他端部は仕切レール部の後端よりも後方に位置する。【選択図】  図３
2011058760.tif 000002
【特許請求の範囲】
【請求項１】
冷蔵庫本体に設けられた冷凍室と、
該冷凍室の上方に位置する冷蔵室と、
前記冷凍室と前記冷蔵室とを仕切る仕切断熱部材と、
前記冷凍室の奥部に位置して冷却器を収納する冷却器室と、
前記冷凍室と前記冷却器室とを区画する着脱可能な区画部材と、
該区画部材の前方に位置し前記冷凍室を左右に仕切る左右仕切部材と、
該左右仕切部材に設けられた仕切レール部と、
該仕切レール部と対向する位置に設けられた内箱レール部と、
前記仕切レール部及び前記内箱レール部に引き出し自在に支持された扉枠と、
該扉枠に係合して前記冷凍室を開閉する扉と、を備えた冷蔵庫において、
前記左右仕切部材の奥行き寸法は前記扉枠の奥行き寸法よりも小さく、且つ該左右仕切部材の後端と前記区画部材との間に該区画部材を着脱する空間を有し、
前記扉枠の前記内箱レール部に対する位置に設けられた第一のスライドピースと、
前記扉枠の前記仕切レール部に対する位置に設けられた第二のスライドピースと、を備え、
前記扉が閉状態の場合、前記第二のスライドピースの一端部は前記仕切レール部上に位置し、該第二のスライドピースの他端部は前記仕切レール部の後端よりも後方に位置することを特徴とする冷蔵庫。
【請求項２】
前記扉枠は、前記内箱レール部側に位置する第一の側部枠と、前記仕切レール部側に位置する第二の側部枠と、前記冷凍室の奥側に位置して前記第一の側部枠と前記第二の側部枠とを連結する奥部枠と、を備え、
前記第一のスライドピースは、前記仕切レール部の下面及び上面と接する面にそれぞれ円弧部を有し、且つ前記第一の側部枠を介して前記奥部枠に係合し、
前記第二のスライドピースは、前後方向に延伸し、且つ前記第二の側部枠を介して前記奥部枠に係合したことを特徴とする、請求項１に記載の冷蔵庫。
【請求項３】
前記第二のスライドピースは前記仕切レール部上を移動し、前記奥部枠と係合する円筒部又は円弧部を有し、該円筒部又は円弧部よりも前方に前記扉を閉方向に滑り移動させる傾斜面を有することを特徴とする、請求項１又は２に記載の冷蔵庫。
【請求項４】
前記第二のスライドピースは、前記円筒部又は円弧部よりも前方に延伸する棒状部を有し、
前記円筒部又は円弧部の下部は前記棒状部の下面と同一又は上方に位置し、該円筒部又は円弧部の上部は前記棒状部よりも上方に位置することを特徴とする、請求項３に記載の冷蔵庫。
【発明の詳細な説明】
【技術分野】
【０００１】
本発明は、冷蔵庫に関する。
【背景技術】
【０００２】
冷蔵庫の大形化に伴い、冷蔵庫の幅は広くなる傾向にある。一般的な冷蔵庫の構成は、製氷室と、比較的内容積の小さい第二冷凍室若しくは切換室とを、左右隣り合わせに第一冷凍室内の上方部に設けている。これら左右に並んだ二つの室は、何れも扉の内側に固定された扉枠で食品貯蔵容器を支持して、引き出し式に構成している。そして、冷蔵庫内箱の側面に備えたレールと、上記二つの室の間に設けられた縦仕切断熱壁の両側面に備えたレールとを利用して引き出し可能にしている（例えば、特許文献１参照）。
【０００３】
この特許文献１は、冷凍室内を左右に仕切る縦仕切断熱壁の奥行き寸法を、内箱側のレールの奥行き寸法とほぼ同等の寸法としている。そして、この縦仕切断熱壁には、内箱側のレールと同等寸法のレールが設けられている。
【先行技術文献】
【特許文献】
【０００４】
【特許文献１】特開２０００−９７５５６号公報
【発明の概要】
【発明が解決しようとする課題】
【０００５】
特許文献１の構成は、内箱側レールの奥行き寸法と奥行き寸法が同等の上記縦仕切断熱壁の後端を、庫内の奥部に位置する区画部材と当接させている。このため、区画部材を取り外す場合は、その前に、縦仕切断熱壁を取り外さないと区画部材を取り外すことができない。
【０００６】
即ち、冷却器室には冷却器に付いた霜を解かすヒーター等の電気部品が入っているため、冷蔵庫の点検等の場合、区画部材を取り外す必要がある。しかし、上記縦仕切断熱壁は、内箱の幅方向中間の区画部材に当接している。このため、縦仕切断熱壁を取り外さないと区画部材を取り外すことができず、修理，点検等のサービス時の作業性が悪い。
【０００７】
また、特許文献１は、縦仕切断熱壁を前後二部品に分割して、引き出し寸法を確保している。このため、前後二部品のそれぞれにレールを設け、内箱側レールの長さ寸法と合わせている。この構成では、前後二部品のレールを段差なく直線状に連結することが難しい。段差なく直線状に連結されていない場合は、引き出し扉をスムーズに引き出すことができない。例えば、縦仕切断熱壁が二部品で構成されていることで、部品上の寸法・歪み等のばらつき、或いは、組み立て時の取り付け精度のばらつきにより、内箱側に取り付けられている扉枠との平行状態を確保できない。さらに、保守点検後に、分割された縦仕切断熱壁を元どおりに組み立てることが難しかった。
【０００８】
このように、従来の冷蔵庫は、製氷室扉等の引き出し寸法を十分にとり、しかも、保守点検等のサービス時、左右仕切部材を取り外すことなく、上記区画部材を容易に着脱できない、という課題があった。
【０００９】
そこで、本発明は、貯蔵容器の奥に収納された食品を容易に取り出し可能であって、且つ保守点検等のサービス作業が容易な冷蔵庫を得ることを目的とする。
【課題を解決するための手段】
【００１０】
上記目的を達成するために、本発明は、冷蔵庫本体に設けられた冷凍室と、該冷凍室の上方に位置する冷蔵室と、前記冷凍室と前記冷蔵室とを仕切る仕切断熱部材と、前記冷凍室の奥部に位置して冷却器を収納する冷却器室と、前記冷凍室と前記冷却器室とを区画する着脱可能な区画部材と、該区画部材の前方に位置し前記冷凍室を左右に仕切る左右仕切部材と、該左右仕切部材に設けられた仕切レール部と、該仕切レール部と対向する位置に設けられた内箱レール部と、前記仕切レール部及び前記内箱レール部に引き出し自在に支持された扉枠と、該扉枠に係合して前記冷凍室を開閉する扉と、を備えた冷蔵庫において、前記左右仕切部材の奥行き寸法は前記扉枠の奥行き寸法よりも小さく、且つ該左右仕切部材の後端と前記区画部材との間に該区画部材を着脱する空間を有し、前記扉枠の前記内箱レール部に対する位置に設けられた第一のスライドピースと、前記扉枠の前記仕切レール部に対する位置に設けられた第二のスライドピースと、を備え、前記扉が閉状態の場合、前記第二のスライドピースの一端部は前記仕切レール部上に位置し、該第二のスライドピースの他端部は前記仕切レール部の後端よりも後方に位置することを特徴とする。
【００１１】
これにより、貯蔵容器の奥に収納された食品を容易に取り出し可能なように、貯蔵容器を十分に引き出せるとともに、冷凍室を左右に仕切る左右仕切部材を取り外すことなく、貯蔵室と冷却器室とを区画する区画部材が取り外せるので保守点検等のサービス作業が容易となる。
【００１２】
また、前記扉枠は、前記内箱レール部側に位置する第一の側部枠と、前記仕切レール部側に位置する第二の側部枠と、前記冷凍室の奥側に位置して前記第一の側部枠と前記第二の側部枠とを連結する奥部枠と、を備え、前記第一のスライドピースは、前記仕切レール部の下面及び上面と接する面にそれぞれ円弧部を有し、且つ前記第一の側部枠を介して前記奥部枠に係合し、前記第二のスライドピースは、前後方向に延伸し、且つ前記第二の側部枠を介して前記奥部枠に係合したことを特徴とする。
【００１３】
これにより、第二のスライドピースは扉枠の第二の側部枠側に保持され、扉開放状態時、第二のスライドピースの取り付け箇所の強度不足による扉のがたつきを抑制して、顧客に不快感を与えることがないものである。
【００１４】
また、前記第二のスライドピースは前記仕切レール部上を移動し、前記奥部枠と係合する円筒部又は円弧部を有し、該円筒部又は円弧部よりも前方に前記扉を閉方向に滑り移動させる傾斜面を有することを特徴とする。
【００１５】
これにより、第二のスライドピースに設けた滑り移動用の傾斜面と、第一の側部枠に有する滑り移動用の傾斜面とで、引き出し扉はスムーズにしかも確実に閉動作を行う。
【００１６】
また、前記第二のスライドピースは、前記円筒部又は円弧部よりも前方に延伸する棒状部を有し、前記円筒部又は円弧部の下部は前記棒状部の下面と同一又は上方に位置し、該円筒部又は円弧部の上部は前記棒状部よりも上方に位置することを特徴とする。
【００１７】
これにより、扉枠の開閉移動時、第二のスライドピースと仕切レール部上面側との接触面積を小さくして、開閉移動時のがたつきをなくし且つ、円筒部若しくは円弧部を有する部分を利用して扉枠の組み立てを容易にし生産性の良い冷蔵庫とすることができる。
【発明の効果】
【００１８】
本発明によれば、貯蔵容器の奥に収納された食品を容易に取り出し可能であって、且つ保守点検等のサービス作業が容易な冷蔵庫を得ることができる。
【図面の簡単な説明】
【００１９】
【図１】本発明の一実施形態に係る冷蔵庫の正面図。
【図２】製氷室及び第二の冷凍室の要部横断面図。
【図３】第二の冷凍室の扉を閉じた状態を示す要部縦断面図。
【図４】第二の冷凍室の扉を開けた状態を示す要部縦断面図。
【図５】図４のＰ部詳細図。
【図６】図３のＱ部詳細図。
【図７Ａ】図３のＲ部詳細図。
【図７Ｂ】図７Ａの左右仕切部材の要部拡大図。
【図８】製氷室扉の扉枠の分解図。
【図９】区画部材を着脱する過程の説明図。
【発明を実施するための形態】
【００２０】
以下本発明の実施例を図により説明する。図１，図２，図３において、冷蔵庫本体１は、上から冷蔵室２を閉じる左右に開閉する右扉２ａと左扉２ｂよりなる冷蔵室扉と、製氷室扉５で閉じられた製氷室３と、第二の冷凍室扉６で閉じられた第二の冷凍室４と、第一の冷凍室扉７で閉じられた第一の冷凍室２７と、野菜室扉８で閉じられた野菜室２８とを備えている。
【００２１】
製氷室３と第二の冷凍室４とは左右に並んで設けられている。なお、製氷室３，第二の冷凍室４及び第一の冷凍室２７は、連通する貯蔵空間内に設けられている。冷蔵室扉（右扉２ａ，左扉２ｂ）は左右に開閉するフレンチドアであって、それ以外の扉は前後方向にスライド開閉して、夫々の貯蔵室内の容器（貯氷容器１５，貯蔵容器２５等）を引き出し可能にしている。
【００２２】
次に図２，図３，図４，図７において、上方空間に位置する製氷室３及び第二の冷凍室４と、下部空間に位置する第一の冷凍室２７とが同じ貯蔵空間内に設けられている。以下、単に冷凍室といった場合、これら三室のことをさす。これら三室の間は連通しており、冷気や熱等を遮断する構成になっていない。製氷室３と第二の冷凍室４とを左右に仕切る左右仕切部材９は、製氷室扉５と第二の冷凍室扉６に取り付けられる貯氷容器１５・貯蔵容器２５を引き出し可能とする手段を構成するために設けられている。
【００２３】
なお、目的に応じて、第一の冷凍室２７と他の室とを薄板で仕切ることも考えられるが、各室の温度は冷凍室温度とほぼ同じ温度になる。左右仕切部材９の前端部は、製氷室扉５の庫内側と第二の冷凍室扉６の庫内側とにそれぞれ設けられたパッキングが接触する縦仕切り部材１０に結合される。この縦仕切り部材１０の表面は薄板鉄板等で作られ前記パッキングのゴム磁石の着磁面となる。更にこの縦仕切り部材１０内には着磁面に結露水が着くのを防止するための加熱手段（凝縮器パイプ若しくは電気ヒーター）が配設されている。このため、縦仕切り部材１０及びこれに連なる横仕切り部材１１は、冷蔵庫本体１から取り外しできない。
【００２４】
冷凍室の奥部には、冷却器室２２が設けられ、その内部に冷却器２３，冷気循環用の送風機２３ａ，ガラス管ヒーターやシーズヒーター等の加熱手段である除霜装置が設置される。
【００２５】
また、左右仕切部材９は、図３に示す如く前端部が縦仕切り部材１０及び横仕切り部材１１に螺子等（図示せず）を用いて固定され、後端上面を冷凍室の上面１ｂに固定する。この冷凍室の上面１ｂには、図７Ａに図示の係合部材１３が、螺子１２等の固定手段で固定されている。この係合部材１３に、図７Ａ及び図７Ｂに図示の形状の左右仕切部材９の上端係合部９ｂが係合して固定される。冷凍室の上面１ｂは、冷蔵庫内箱１ａに組み込む冷蔵室２と冷凍室間を断熱仕切る第二の水平仕切断熱部材２６によって形成される。
【００２６】
また、左右仕切部材９の後端面９ａ（図４参照）は、製氷室３（第二の冷凍室４）の奥行き寸法Ｌ１に対し、Ｌ１−５０mmに位置している。
【００２７】
次に、自動製氷機１４は、製氷室３の上面１ｂに着脱可能に設けられ、冷蔵室２等に設けられた冷水タンク（図示省略）から製氷部１４ａ（製氷皿）に給水されて製氷する。この製氷した氷は、製氷部（製氷皿）１４ａの下方に設置された貯氷容器１５内に自動的に落下させて貯氷する。この自動製氷機１４の後端も、左右仕切部材９の後端面９ａと同様に製氷室３の奥行き寸法Ｌ１に対し、Ｌ１−５０mmの位置に位置している。従って、自動製氷機１４の製氷部（製氷皿）１４ａと、後述する区画部材１９の前面に形成され冷却器２３からの冷気を製氷部１４ａ等に吹き出す上部吹出口１９ａとの間に、５０mm以上の空間が形成される。
【００２８】
この製氷部１４ａと上部吹出口１９ａとの間の５０mm以上の空間を小さくするために、区画部材１９から製氷部１４ａ側の空間に突出するように冷気ダクトを設けている。
【００２９】
１６は左右仕切部材９に一体に設けられた仕切レール部であり、製氷室３側と第二の冷凍室４側とにそれぞれ設けられる（図２参照）。本実施例では、部品点数の削減及び強度を大きくするために、仕切レール部１６を左右仕切部材９に一体に設けているが、別体であってもよい。
【００３０】
この仕切レール部１６とほぼ同じ高さ位置に、冷蔵庫内箱１ａの左右の側壁それぞれに内箱レール部１７が設けられる。これら仕切レール部１６と内箱レール部１７とで、貯氷容器１５を支持する扉枠１８を庫内前後方向に移動することができる。仕切レール部１６と内箱レール部１７は、断面形状がコ字状の溝（空間）によって形成される。
【００３１】
この仕切レール部１６及び内箱レール部１７を形成する溝の下面側と上面側との間に、後述する第一，第二のスライドピースが位置し、庫内の前後方向に摺動する。尚、本実施の形態では製氷室３で説明しているが、第二の冷凍室４でも同様の構成にすることで、同様の効果を奏することができる。
【００３２】
扉枠１８は、製氷室扉５及び第二の冷凍室扉６に螺子止め等で固定され、製氷室扉５に取り付けられる貯氷容器１５・貯蔵容器２５を引き出し式としている。即ち、貯氷容器１５が扉枠１８に支持され、製氷室扉５の移動に伴って貯氷容器１５が室外に引き出される。扉枠１８は、薄板鉄板を折り曲げ・プレス加工等の塑性加工により形成し、省スペースで強度確保している。
【００３３】
尚、扉枠１８を支持するレールは、仕切レール部１６と内箱レール部１７とで説明しているが、これに限定するものではない。すなわち、仕切レール部１６と対をなす位置に設けられていればよく、冷蔵庫内箱１ａに限るものではない。
【００３４】
左右仕切部材９の寸法は、その後端と区画部材１９との間に区画部材１９を着脱可能にする空間を形成する寸法で、且つ、扉枠１８の寸法よりも小さい寸法である。この扉枠１８の後端に第一，第二のスライドピース２０・２１が夫々取り付けられ、扉の閉状態時（図６参照）、第二のスライドピース２１の一端部が仕切レール部１６後端部の上に位置するとともに、第二のスライドピース２１の他端部が仕切レール部１６の後端面１６ａよりも後方に位置するようにしている。
【００３５】
冷凍室の奥部には、冷却器２３，冷気循環用送風機２３ａ，ガラス管ヒーター・シーズヒーター等の加熱手段である除霜装置、その他の電気品が設置された冷却器室２２を備えている。この冷却器室２２と冷凍室を、区画部材１９で区画している。そして、この冷却器室２２には、除霜装置を含む電気品が設置されている関係上、区画部材１９は保守点検等のサービス時、取り外し可能であることが必要である。区画部材１９の取り外し時、例えば、区画部材１９を小さく分割した構造にすれば着脱作業は容易になる。しかし、区画部材１９に分割箇所が多くなると、その合わせ目に生じる空間（隙間）は冷気漏れの原因になる。しかも、部品点数が増えてコストアップになる。これらのことから、冷凍室と冷却器室２２とを一体の区画部材１９で区画している。本実施例は、この一体の区画部材１９の着脱を容易にするものである。以下、図５，図６，図８，図９を参照しながら、その構造の詳細を説明する。
【００３６】
まず図８において、扉枠１８に付いて説明する。この扉枠１８の奥行き寸法は、冷蔵庫内箱１ａの側壁に設けられた内箱レール部１７に合わせてほぼ同じ寸法に作られている。また、仕切レール部１６より長く形成されている（例えば、内箱レール部１７の方が仕切レール部１６よりも４５mm位長い）。つまり、貯氷容器１５は、仕切レール部１６の奥行き寸法よりも４５mm長く室外に引き出される。これにより、貯氷容器１５を４５mm多く引き出せる分、使い勝手が向上する。
【００３７】
また、この扉枠１８は、貯氷容器１５の後端を支持する奥部枠１８ｃと、奥部枠１８ｃの内箱レール部１７側に取り付けられる第一の側部枠１８ａと、奥部枠１８ｃの仕切レール部１６側に取り付けられる第二の側部枠１８ｂと、を略コ字形状に組み合わせている。
【００３８】
そして、このコ字状に組み合わせた扉枠１８は、第一の側部枠１８ａと第二の側部枠１８ｂにそれぞれ有する取り付け部１８ｄによって製氷室扉５側に螺子止め固定されている。製氷室扉５を引き出す動作に伴って、貯氷容器１５を保持する扉枠１８が仕切レール部１６，内箱レール部１７上を移動する（図２参照）。
【００３９】
２０は第一の側部枠１８ａの冷蔵庫内箱１ａ側に取り付けられた第一のスライドピースで、例えば樹脂で作られた円筒形の部材である。この第一のスライドピース２０は、内箱レール部１７のレール下面を移動するよう長手部の冷蔵庫内箱１ａ側の面よりも外側（内箱側）に位置するように取り付けられている。また、第一のスライドピース２０は、第一の側部枠１８ａを介して奥部枠１８ｃの端部に螺子等で固定されている。
【００４０】
２１は樹脂製の第二のスライドピースで、先に説明したとおり、内箱レール部１７が仕切レール部１６よりも４５mm位長いので、その差を補うことを可能とする約１００mmの長さの棒状体としている。この第二のスライドピース２１は、その後部に円筒形の円筒部２１ａと、円筒部２１ａ前方の棒状部２１ｃ、この棒状部２１ｃの前部上面に第二の側部枠１８ｂへの取り付け部となる爪２１ｂを有している。
【００４１】
また、円筒部２１ａは、仕切レール部１６下面側に接する面が棒状部２１ｃと同じ面にあり、仕切レール部１６上面側の面が棒状部２１ｃより上方に突出し、断面略コ字形状の仕切レール部１６の溝幅内で円筒部２１ａが左右に傾き過ぎないよう構成されている。
【００４２】
そして、第二のスライドピース２１の円筒部２１ａは、第二の側部枠１８ｂを介して螺子等を用いて奥部枠１８ｃの仕切レール部１６側端部に固定され、第二の側部枠１８ｂへの取り付け部となる前部に有する爪２１ｂが第二の側部枠１８ｂに係止し固定されている。
【００４３】
また、第二のスライドピース２１の円筒部２１ａと、円筒形の第一のスライドピース２０とは、ほぼ同じ位置（高さ，奥行き）で対向している。
【００４４】
第二のスライドピース２１の円筒部２１ａと棒状部２１ｃとは、仕切レール部１６内を移動するよう第二の側部枠１８ｂの仕切レール部１６側の面よりも外側に位置するように取り付けられている。これにより、内箱レール部１７より４５mm短く形成された仕切レール部１６内であっても、第二のスライドピース２１は仕切レール部１６内の移動が可能となる。
【００４５】
即ち、製氷室扉５を閉めた時の第二のスライドピース２１と仕切レール部１６との係合状態を示す図６には、扉枠１８に取り付けられた第二のスライドピース２１の棒状部２１ｃが、仕切レール部１６後端上に位置する。そして、第二のスライドピース２１の円筒部２１ａは、仕切レール部後端面１６ａよりも４５mm奥方向の空間に位置する。尚、区画部材１９は、扉枠１８の後端よりも５０mm奥に位置する。
【００４６】
一方、製氷室扉５を引き出し操作すると、図４，図５に示す如く第二のスライドピース２１の棒状部２１ｃと円筒部２１ａとが仕切レール部前端面１６ｂ側の仕切レール部１６内に位置するので、製氷室扉５が仕切レール部１６より外れて落下することがない。これにより、仕切レール部１６が扉枠１８より短くとも、製氷室扉５の引き出し操作に伴って引き出される貯氷容器１５の使い勝手は十分に確保される。
【００４７】
この製氷室扉５に取り付けられた扉枠１８と貯氷容器１５は、冷蔵庫本体から引き出して取り外し可能である。例えば、容器清掃時や必要な場合に、扉枠１８を仕切レール部１６，内箱レール部１７と分離して冷蔵庫本体から取り外し、清掃を行うことができる。
【００４８】
以上、本実施の形態においては、第二のスライドピース２１を第二の側部枠１８ｂに取り付けた例で説明してきた。これと同様に、第一の側部枠１８ａ側も、第一のスライドピース２０の代わりに第二のスライドピース２１を取り付け、スライドピースの共用化を図ってもよい。更に、前記説明は製氷室扉５の引き出し動作に伴って引き出される容器を説明してきたが、他の室でも同様の構成であれば同じ効果が得られる。
【００４９】
また、図８に示す如く、第二のスライドピース２１の下面部には、製氷室扉５（もしくは第二の冷凍室扉６）の閉じ動作中に、扉枠１８の後端を庫内奥側に滑り移動させる力を発生させるための傾斜面２１ｄを備えている。すなわち、傾斜面２１ｄの傾斜方向が、前記仕切レール部後端面１６ａの角部上に傾斜面２１ｄが位置すると、庫内奥側に滑り移動（摺動）させる力を発生する方向に形成されている。この傾斜面２１ｄにより庫内奥側に滑り移動（摺動）することによって、円筒部２１ａが庫内奥側に移動して円筒部２１ａ下面が仕切レール部１６の下面側よりも下方向に下がり、扉枠１８の後端が庫内奥側に滑り移動する。このように、第二の側部枠１８ｂに取り付けた第二のスライドピース２１の下面部の傾斜面２１ｄは、半ドア防止用のクローザーを構成するものである。なお、第二の側部枠１８ｂに対向する第一の側部枠１８ａには、同様の傾斜面（図示省略）を設けている。
【００５０】
次に図９を用いて区画部材１９の着脱について説明する。この区画部材１９は、冷却器室２２と冷凍室（第二の冷凍室４，製氷室３を含む）とを区画するもので、少なくとも横幅寸法が冷凍室の前面間口より僅かに小さい。
【００５１】
なお、上記第二のスライドピース２１の一端を円筒部２１ａとしたが、円筒形状である必要はなく、円柱・或いはそれ以外の形状でも仕切レール部１６の下面側・上面側と接する面が円弧部を有すればよい。
【００５２】
また、冷却器室２２には冷却器２３の他、冷気循環用送風機２３ａ，電気品，除霜装置等が設けられている。このため、区画部材１９を着脱しての保守点検等のサービスができる構造が必須となる。このとき、本実施例は先に説明した如く、製氷室３と第二の冷凍室４の扉を外せば、左右仕切部材９を取り外すことなく区画部材１９を着脱することができる。
【００５３】
以下、図９に基づいて説明する。修理、点検等のサービス時には、製氷室扉５，第二の冷凍室扉６，第一の冷凍室扉７を冷蔵庫本体１から取り外す。このとき、左右仕切部材９の後端面９ａと区画部材１９との間には、約５０mmの空間が確保される。この状態で、区画部材１９を冷凍室外に取り外すときには、区画部材１９の底部爪１９ｂと第一の水平仕切断熱部材２４側に設けられた係止部との係止関係を解除する。
【００５４】
次いで、この区画部材１９の底部（下端）を破線Ｉの位置まで引き出す。これにより、区画部材１９上部と冷凍室の上面１ｂとの係止関係を解除できる。この係止関係が解除された後、前記区画部材１９の底部（下端）を、区画部材１９の上部を基準に破線IIの位置まで区画部材１９を手前側に回動させるようにして引き出す。この際は、区画部材１９を手前側に回動させるようにして引き出さないと、５０mmの空間では足らず区画部材１９と左右仕切部材９の後端面９ａとが接触してしまい、場合によっては区画部材１９を引き出せない。次いで、区画部材１９の上部を下げるようにして、破線III，破線IVの位置まで回動させて引き出す。
【００５５】
そして、区画部材１９の上部が左右仕切部材９の後端面９ａより下方の位置に達した所で、区画部材１９を水平方向にして冷凍室外に取り出す。区画部材１９と左右仕切部材９の後端面９ａとの空間５０mmは、このときに必要となる寸法であるが、この寸法は区画部材１９および左右仕切部材９の高さ寸法及び形状などにより変るものであるので、５０mmに限定されるものでない。すなわち、区画部材１９と左右仕切部材９の後端面９ａとの間に、区画部材１９を取り外すために必要な空間が設けられていればよい。
【００５６】
区画部材１９と左右仕切部材９の後端面９ａとの空間（例えば５０mm）を小さくする手段としては、区画部材１９を、左右仕切部材９に対向する箇所を反左右仕切部材９側に窪ませ、区画部材１９の着脱時、左右仕切部材９の後端面９ａをその窪みで吸収することで可能となる。
【００５７】
また、左右仕切部材９の後端下部に大きな丸みを付けることで、区画部材１９の取り出しは容易となり、或いは区画部材１９と左右仕切部材９の後端面９ａとの空間を小さくすることができる。
【００５８】
上記実施例によれば、区画部材１９と左右仕切部材９の後端との間に区画部材１９を着脱可能にする空間を有し、扉枠は、仕切レール部１６と対を成すレール側に第一のスライドピース２０を有するとともに、仕切レール部１６側に第二のスライドピース２１を有し、扉の閉状態時に、第二のスライドピース２１の一端部である棒状部２１ｃが仕切レール部１６上に位置するとともに、第二のスライドピース２１の他端部である円筒部２１ａが仕切レール部１６の後端面１６ａよりも後方に位置することにより、内箱レール部１７の奥行き寸法に合わせて引き出し寸法を確保しつつ、冷凍室を左右に仕切る左右仕切部材９を取り外すことなく、冷凍室と冷却器室２２とを区画する区画部材１９が取り外せるので保守点検，修理等のサービス作業が容易となる。
【００５９】
また、扉枠は、内箱レール部１７側に位置する第一の側部枠１８ａと、前記仕切レール部側に位置する第二の側部枠と、冷凍室の奥部側に位置する奥部枠１８ｃとを略コ字形状に連結してなり、第一のスライドピース２０は円筒形状で且つ第一の側部枠１８ａを介して奥部枠１８ｃに固定され、第二のスライドピース２１は前後方向に延びる形状で且つ第二の側部枠１８ｂを介して奥部枠１８ｃに固定されている。これによって、第二のスライドピース２１は扉枠の第二の側部枠１８ｂ側に保持され、扉開放状態時、第二のスライドピース２１の取り付け箇所の強度不足による扉のがたつきを抑制して、顧客に不快感を与えることがないものである。
【００６０】
また、仕切レール部１６上を移動する前記第二のスライドピース２１は、前記奥部枠１８ｃと固定された円筒部２１ａ若しくは円弧部を有する部分よりも前方の位置に前記扉を閉方向に滑り移動させる傾斜面２１ｄを有する。
【００６１】
これにより、第二のスライドピース２１に設けた滑り移動用の傾斜面２１ｄと、第一の側部枠１８ａに有する滑り移動用の傾斜面（図示省略）とで、引き出し扉はスムーズにしかも確実に閉動作を行う。
【００６２】
また、第二のスライドピース２１は、前記奥部枠１８ｃに固定される円筒部２１ａ若しくは円弧部を有する部分と、その円筒部２１ａ若しくは円弧部を有する部分よりも前方に延びる棒状部２１ｃとからなり、前記円筒部２１ａ若しくは円弧部を有する部分は、前記仕切レール部１６の下面側と接触する面と、前記棒状部２１ｃの下面とを同一面に形成するとともに、前記仕切レール部１６の上面側が前記棒状部２１ｃよりも上方に位置するものである。
【００６３】
これにより、扉枠１８の開閉移動時、第二のスライドピース２１と仕切レール部１６上面側との接触面積を小さくして、開閉移動時のがたつきを抑制し且つ、円筒部２１ａ若しくは円弧部を有する部分を利用して扉枠１８の組み立てを容易にし生産性の良い冷蔵庫とすることができる。
【符号の説明】
【００６４】
１  冷蔵庫本体
１ａ  冷蔵庫内箱
１ｂ  冷凍室の上面
２  冷蔵室
２ａ  右扉
２ｂ  左扉
３  製氷室
４  第二の冷凍室
５  製氷室扉
６  第二の冷凍室扉
７  第一の冷凍室扉
８  野菜室扉
９  左右仕切部材
９ａ  後端面
９ｂ  上端係合部
１０  縦仕切り部材
１１  横仕切り部材
１２  螺子
１３  係合部材
１４  自動製氷機
１４ａ  製氷部（製氷皿）
１５  貯氷容器
１６  仕切レール部
１６ａ  レール部後端面
１６ｂ  レール部前端面
１７  内箱レール部
１８  扉枠
１８ａ  第一の側部枠
１８ｂ  第二の側部枠
１８ｃ  奥部枠
１８ｄ  取り付け部
１９  区画部材
１９ａ  上部吹出口
１９ｂ  底部爪
２０  第一のスライドピース
２１  第二のスライドピース
２１ａ  円筒部
２１ｂ  爪
２１ｃ  棒状部
２１ｄ  傾斜面
２２  冷却器室
２３  冷却器
２４  第一の水平仕切断熱部材
２５  貯蔵容器
２６  第二の水平仕切断熱部材
２７  第一の冷凍室
２８  野菜室
【図１】
2011058760.tif 000003
【図２】
2011058760.tif 000004
【図３】
2011058760.tif 000005
【図４】
2011058760.tif 000006
【図５】
2011058760.tif 000007
【図６】
2011058760.tif 000008
【図７Ａ】
2011058760.tif 000009
【図７Ｂ】
2011058760.tif 000010
【図８】
2011058760.tif 000011
【図９】
2011058760.tif 000012